(57)【要約】 【課題】表示部筐体と操作部筐体との配置状態を変えることで装置本体を複数のスタイルに変更可能な携帯端末装置において、現在のスタイルを変更することなく、制限解除のための認証用データを容易に入力できるようにする。 【解決手段】スタイル別端末ロック解除テーブル２２及びスタイル別機能制限解除テーブル２３にスタイルと認証手段との対応が記憶管理されている状態において、ＣＰＵ1は、スタイル検出センサ１８によって検出された現在のスタイルに基づいてスタイル別端末ロック解除テーブル２２、スタイル別機能制限解除テーブル２３を参照することによって、３種類の認証手段（パスワード認証手段、指紋認証手段、顔認証手段）の中から現在のスタイルに対応付けられている認証手段を選択し、この認証手段によって正規なユーザであることが認証された際に、端末クロックの設定を解除したり、選択された機能の使用制限を解除する。 【選択図】  図1
2007336245.tif 000002
【特許請求の範囲】
【請求項１】
表示部を備えた表示部筐体と操作部を備えた操作部筐体との配置状態を変えることで装置本体を複数のスタイルに変更可能な携帯端末装置であって、
使用制限を解除するために入力されたデータと予め登録されているデータとを照合してユーザ認証を行う複数の認証手段と、
前記装置本体のスタイルと前記認証手段とを対応付ける対応情報を記憶管理する対応情報記憶手段と、
前記装置本体の現在のスタイルを検出する検出手段と、
この検出手段で検出されたスタイルに基づいて前記対応情報を参照することによって当該スタイルに対応する前記認証手段を選択する選択手段と、
この選択手段によって選択された認証手段で正規なユーザであることが認証された際に、前記使用制限を解除する制御手段と、
を具備したことを特徴とする認証機能付き携帯端末装置。
【請求項２】
前記対応情報記憶手段は、一つのスタイルに複数の前記認証手段を対応付けた対応情報を記憶管理し、
前記選択手段は、前記検出手段によって検出されたスタイルに対応する複数の認証手段の中からその何れかの認証手段を選択する、
ようにしたことを特徴とする請求項1記載の認証機能付き携帯端末装置。
【請求項３】
前記選択手段は、前記検出手段によって検出されたスタイルに対応する複数の認証手段の中からその何れかの認証手段を選択する際に、予め決められている優先順位にしたがってその何れかの認証手段を選択する、
ようにしたことを特徴とする請求項２記載の認証機能付き携帯端末装置。
【請求項４】
前記選択手段によって選択された認証手段での認証が失敗した際に、前記選択手段は、前記検出手段によって検出されたスタイルに対応する複数の認証手段の中からその優先順位にしたがって次順位の認証手段を選択する、
ようにしたことを特徴とする請求項３記載の認証機能付き携帯端末装置。
【請求項５】
前記制御手段は、前記複数の認証手段のうち、前記選択手段によって選択された認証手段を起動する、
ようにしたことを特徴とする請求項1記載の認証機能付き携帯端末装置。
【請求項６】
前記選択手段によって認証手段が選択された際に、その認証手段に応じたガイダンスを出力する、
ようにしたことを特徴とする請求項1記載の認証機能付き携帯端末装置。
【請求項７】
前記複数の認証手段は、前記操作部筐体の操作部から入力されたパスワードに基づいてユーザ認証を行うパスワード認証手段と、前記表示部筐体の表示面側に設けられた指紋センサから入力された指紋データに基づいてユーザ認証を行う指紋認証手段とを含み、
前記選択手段は、前記操作部筐体の操作部が前記表示部筐体によって覆い隠されている状態のスタイルであれば、前記指紋認証手段を選択し、前記操作部筐体の操作部が隠れない状態のスタイルでは、前記パスワード認証手段を選択する、
ようにしたことを特徴とする請求項1記載の認証機能付き携帯端末装置。
【請求項８】
任意の機能が指定された際に、この指定機能が制限対象であるか否かを判別し、制限対象の機能であれば、前記検出手段によって検出されたスタイルに対応する前記認証手段を選択し、この認証手段で正規なユーザであることが認証された際に当該機能の使用制限を解除する、
ようにしたことを特徴とする請求項1記載の認証機能付き携帯端末装置。
【請求項９】
コンピュータに対して、
使用制限を解除するために入力されたデータと予め登録されているデータとを照合してユーザ認証を行う複数の認証手段のうち、その何れかの認証手段と装置本体のスタイルとを対応付ける対応情報を記憶管理する機能と、
装置本体の現在のスタイルに基づいて前記対応情報を参照することによって当該スタイルに対応する前記認証手段を選択する機能と、
選択された認証手段で正規なユーザであることが認証された際に、前記使用制限を解除する機能と、
を実現させるためのプログラム。
【発明の詳細な説明】
【技術分野】
【０００１】
この発明は、表示部を備えた表示部筐体と操作部を備えた操作部筐体との配置状態を変えることで装置本体を複数のスタイルに変更可能であるほか、使用制限を解除するために入力されたデータと予め登録されているデータとを照合してユーザ認証を行う認証機能付き携帯端末装置及びプログラムに関する。
【背景技術】
【０００２】
従来、キーロックなどの制限ロックを任意に設定可能な携帯電話装置が普及してきており、例えば、表示部筐体と操作側筐体との折り畳みが可能な携帯電話装置において、表示部筐体を操作部筐体に対して開いた状態のときに暗証番号を入力することでキーロック解除を行えるようにした技術が知られている（特許文献１参照）。また、表示部筐体の背面側に指紋センサを設け、この指紋センサから入力された指紋データに基づいてユーザ認証を行うようにした技術が知られている（特許文献２参照）。
【特許文献１】特開２００１−２１７９２４号公報
【特許文献２】特開２００５−１２４２５号公報
【発明の開示】
【発明が解決しようとする課題】
【０００３】
しかしながら、特許文献１の技術にあっては、表示部筐体を操作部筐体に対して閉じた状態では操作部が隠されて暗証番号の入力が不能となるため、暗証番号の入力時には開いた状態に変更する必要があった。また、特許文献２の技術にあっては、表示部筐体を操作部筐体に対して開いた状態と閉じた状態とでは指紋センサの向きが異なるために、ユーザは指紋データの入力時に指紋センサの向きを確認し、その向きに合わせて指紋読み取り操作を行うようにしているが、表示部筐体を操作部筐体に対して開いた状態では指紋センサの操作がしづらくなるため、指紋データの入力時には閉じた状態に変更する必要があり、また、操作の向きを間違えた場合には、正確な照合ができないという問題があった。
【０００４】
この発明の課題は、表示部筐体と操作部筐体との配置状態を変えることで装置本体を複数のスタイルに変更可能な携帯端末装置において、現在のスタイルを変更することなく、制限解除のための認証用データを容易に入力できるようにすることである。
【課題を解決するための手段】
【０００５】
請求項１記載の発明は、表示部を備えた表示部筐体と操作部を備えた操作部筐体との配置状態を変えることで装置本体を複数のスタイルに変更可能な携帯端末装置であって、使用制限を解除するために入力されたデータと予め登録されているデータとを照合してユーザ認証を行う複数の認証手段と、前記装置本体のスタイルと前記認証手段とを対応付ける対応情報を記憶管理する対応情報記憶手段と、前記装置本体の現在のスタイルを検出する検出手段と、この検出手段で検出されたスタイルに基づいて前記対応情報を参照することによって当該スタイルに対応する前記認証手段を選択する選択手段と、この選択手段によって選択された認証手段で正規なユーザであることが認証された際に、前記使用制限を解除する制御手段とを具備したことを特徴とする。
更に、コンピュータに対して、上述した請求項１記載の発明に示した主要機能を実現させるためのプログラムを提供する（請求項９記載の発明）。
【０００６】
なお、上述した請求項１記載の発明は次のようなものであってもよい。
前記対応情報記憶手段は、一つのスタイルに複数の前記認証手段を対応付けた対応情報を記憶管理し、前記選択手段は、前記検出手段によって検出されたスタイルに対応する複数の認証手段の中からその何れかの認証手段を選択する（請求項２記載の発明）。
【０００７】
この場合、前記選択手段は、前記検出手段によって検出されたスタイルに対応する複数の認証手段の中からその何れかの認証手段を選択する際に、予め決められている優先順位にしたがってその何れかの認証手段を選択するようにしてもよい（請求項３記載の発明）。また、前記選択手段によって選択された認証手段での認証が失敗した際に、前記選択手段は、前記検出手段によって検出されたスタイルに対応する複数の認証手段の中からその優先順位にしたがって次順位の認証手段を選択するようにしてもよい（請求項４記載の発明）。
【０００８】
前記制御手段は、前記複数の認証手段のうち、前記選択手段によって選択された認証手段を起動する（請求項５記載の発明）。
【０００９】
前記選択手段によって認証手段が選択された際に、その認証手段に応じたガイダンスを出力する（請求項６記載の発明）。
【００１０】
前記複数の認証手段は、前記操作部筐体の操作部から入力されたパスワードに基づいてユーザ認証を行うパスワード認証手段と、前記表示部筐体の表示面側に設けられた指紋センサから入力された指紋データに基づいてユーザ認証を行う指紋認証手段とを含み、前記選択手段は、前記操作部筐体の操作部が前記表示部筐体によって覆い隠されている状態のスタイルであれば、前記指紋認証手段を選択し、前記操作部筐体の操作部が隠れない状態のスタイルでは、前記パスワード認証手段を選択する（請求項７記載の発明）。
【００１１】
任意の機能が指定された際に、この指定機能が制限対象であるか否かを判別し、制限対象の機能であれば、前記検出手段によって検出されたスタイルに対応する前記認証手段を選択し、この認証手段で正規なユーザであることが認証された際に当該機能の使用制限を解除する（請求項８記載の発明）。
【発明の効果】
【００１２】
この発明は、複数の認証手段の中から現在のスタイルに適した認証手段を選択可能であると共に、現在のスタイルを変更することなく、制限解除のための認証用データを容易に入力することができ、操作性、確実性、安全性を高めることが可能となる。
【発明を実施するための最良の形態】
【００１３】
以下、図１〜図１０を参照して本発明の実施例を説明する。
この実施例は、携帯端末装置として携帯電話装置に適用した場合を例示したもので、図１は、この携帯電話装置の基本的な構成要素を示したブロック図である。
この携帯電話装置は、折畳・回転型（２軸回転型）の携帯電話装置であり、その表示部筐体と操作側筐体との配置状態を変えることで装置本体を４つのスタイルに変更可能なもので、通話機能（電話機能）、電子メール機能、テレビ（ＴＶ）電話機能、カメラ機能、電子マネー機能、録音機能、スケジュール機能、インターネット接続機能（Ｗｅｂアクセス機能）など、各種の機能が備えられている。また、この携帯電話装置には、使用制限を解除するために入力されたデータと予め登録されているデータとを照合することによってユーザ認証を行う３種類のユーザ認証手段として、「パスワード認証手段」、「指紋認証手段」、「顔認証手段」が備えられている。
【００１４】
ＣＰＵ１は、記憶部２内の各種のプログラムに応じてこの携帯電話装置の全体動作を制御する中核的な中央演算処理装置であり、このメインＣＰＵ１のほか、この携帯電話装置には、例えば、映像、音声データの受送信機能、受信映像の再生機能などの機能別に、複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図７〜図１０に示す動作手順に応じて本実施例を実現するためのプログラムが格納されている。
【００１５】
また、記憶部２のデータ領域は、後述する照合用登録データメモリ２１、スタイル別端末ロック解除テーブル２２、スタイル別機能制限解除テーブル２３、制限対象機能設定テーブル２４などを有している。記録メディア３は、着脱自在な可搬型メモリで、各種のデータ・プログラムを外部供給するもので、例えば、スマートメディア、ＩＣカードなどによって構成されている。メモリ４は、ワーク領域を有する内部メモリで、例えば、ＤＲＡＭ、ＳＤＲＡＭ（Synchronous DRAM）などによって構成され、必要に応じてメモリ４内の各種のデータは、記憶部２にセーブされる。
【００１６】
電話通信部５は、無線部を構成するアンテナに接続された送受信部（ベースバンド部）の受信側から信号を取り込んで受信ベースバンド信号に復調したのちに、音響制御部６を介して音声スピーカ７から音声出力させる。また、電話通信部５は、音声マイク８から入力された音声データを音響制御部６から取り込み、送信ベースバンド信号に符号化したのちに送受信部の送信側に与えられてアンテナから発信出力させる。一方、電子メール機能などによって電話通信部５を介して受信取得した表示データは、表示制御部９を介してＬＣＤ（液晶表示装置）などのメイン表示部１０に与えられて表示出力される。サブ表示部１１は現在日時、簡易なメッセージ、アイコンなどを表示する。キー操作部１２は、ダイヤル入力、文字入力、コマンド入力などを行うもので、ＣＰＵ１は、キー操作部１２からのキー入力信号に応じた処理を実行する。
【００１７】
インカメラ１３は、自己を撮影するＴＶ電話用あるいはユーザ認証用として使用可能なカメラ撮像部であり、アウトカメラ１４は、外界を撮影する通常のカメラ撮像部で、ユーザ認証用としても使用可能なもので、撮影レンズ、ミラー等のレンズ・ミラーブロック、撮像素子、その駆動系のほか、測距センサ、光量センサ、アナログ処理回路、信号処理回路、圧縮伸張回路等を備え、光学ズームを調整制御したり、オートフォーカス時の駆動制御、シャッター駆動制御、露出、ホワイトバランス等を制御する。ＣＰＵ１は、ユーザ認証時にインカメラ１３あるいはアウトカメラ１４によってユーザ自身の顔を撮影することによって得られた顔画像データあるいはその画像を解析することによって得られた顔の特徴データと、予め登録されている登録データ（顔画像データあるいは顔の特徴データ）とを照合することによってユーザ認証を行うようにしている。
【００１８】
指紋センサ１５は、例えば、半導体方式によって指紋を読み取るもので、指紋の凹凸に応じた電荷量が電圧値に変換されると共に、この電圧値に応じてデジタル画像（指紋画像データ）が得られる。ＣＰＵ１は、ユーザ認証時に指紋センサ１５から読み取られた指紋画像データあるいは当該画像を解析することによって指紋中心点、分岐点、端点、三角州などの指紋特徴データと、予め登録されている指紋データ（指紋画像データあるいは指紋特徴データ）とを照合することによってユーザ認証を行うようにしている。
【００１９】
録音／再生部１６は、通話音声あるいは音楽などを録音して再生出力するもので、ＣＰＵ１の制御下で録音開始／終了及び再生開始／終了などが制御される。非接触ＩＣ処理部１７は、電子マネー利用機能を構成するもので、メモリ部、コイルアンテナ部を有し、外部機器であるＩＣリーダライタ付きの取引端末（例えば、店舗端末）との間で微弱電波によってデータの送受信を行う。なお、受信電波によって電磁誘導される起電力を非接触ＩＣ処理部１７の動作電力とするもので、非接触ＩＣ処理部１７は、コイルアンテナ部からの起電力に基づいて起動状態となり、支払い額に応じてマネー残高を更新する処理が実行される。
【００２０】
スタイル検出センサ１８は、２軸回転型の装置本体を構成する２つの筐体（表示部筐体、操作部筐体）の配置状態に応じて変化する各スタイルを検出可能なもので、例えば、磁気センサあるいはマイクロスイッチによって構成され、ＣＰＵ１は、スタイル検出センサ１８からの各検出信号に基づいて装置本体の各スタイルを判別するようにしている。この場合、操作部筐体に表示部筐体を重ね合わせた状態（クローズスタイル）、このタイルから表示部筐体を開いた状態（正転オープンスタイルあるいはノーマルスタイル）、このスタイルから表示部筐体を１８０°回転させた状態（反転オープンスタイル）、このスタイルから表示部筐体を閉じた状態（ビュースタイル）に変更可能となっている。
【００２１】
図２（Ａ）は、正転オープンスタイル（ノーマルスタイル）を示した図である。
操作部筐体１９Ａには、キー操作部１２が配置され、表示部筐体１９Ｂには、メイン表示部１０が配置されており、また、メイン表示部１０の上側部にはインカメラ１３が配置され、メイン表示部１０の下側部には指紋センサ１５が配置されている。
図２（Ｂ）は、ビュースタイルを示した図で、このビュースタイルでは、操作部筐体１９Ａのキー操作部１２が表示部筐体１９Ｂによって覆い隠された状態となっているが、メイン表示部１０、インカメラ１３、指紋センサ１５は、外部に露出した状態となっている。このビュースタイルでは、「カメラ機能」、「電子マネー機能」が有効な機能となるが、操作部筐体１９Ａのキー操作部１２は、表示部筐体１９Ｂによって覆い隠されているため、操作部筐体１９Ａの一側部に配置されている各サイドキーＳＫ１、ＳＫ２、ＳＫ３のうち、サイドキーＳＫ１をカメラ機能のオン／オフキーとして使用し、サイドキーＳＫ２を電子マネー機能（ＩＣカード機能）のオン／オフキーとして使用するようにしている。
【００２２】
図２（Ｃ）は、クローズスタイルを示した図で、このクローズスタイルでは、キー操作部１２、インカメラ１３、指紋センサ１５が覆い隠されているが、アウトカメラ１４は、外部に露出した状態となっている。このクローズスタイルでは「電子マネー機能」、「録音機能」が有効な機能となるが、この場合においても、操作部筐体１９Ａのキー操作部１２は、表示部筐体１９Ｂによって覆い隠されているため、操作部筐体１９Ａの一側部に配置されている各サイドキーＳＫ１、ＳＫ２、ＳＫ３のうち、サイドキーＳＫ２を電子マネー機能（ＩＣカード機能）のオン／オフキーとして使用し、サイドキーＳＫ３を録音機能のオン／オフキーとして使用するようにしている。
【００２３】
図３は、パスワード認証、指紋認証、顔認証時に使用される照合用データを記憶管理する照合用登録データメモリ２１を示した図である。
照合用登録データメモリ２１は、予め任意に入力設定されたもので、パスワード認証手段、指紋認証手段、顔認証手段に対応して「パスワードデータ」、「指紋データ」、「顔データ」を記憶管理する構成で、ＣＰＵ１は、ユーザ認証時に入力されたデータと照合用登録データメモリ２１から読み出した登録データとを照合することによって認証処理を実行する。なお、上述したように「指紋データ」は、指紋センサ１５によって検出された指紋画像データあるいはその画像を解析することによって得られた指紋中心点、分岐点、端点、三角州などの指紋特徴データである。また、「顔データ」は、インカメラ１３あるいはアウトカメラ１４によって撮影された顔画像データあるいはその画像を解析することによって得られた顔の特徴データである。
【００２４】
図４は、スタイル別端末ロック解除テーブル２２を示した図である。
スタイル別端末ロック解除テーブル２２は、携帯電話装置自体の使用を制限する端末ロックが設定されている場合に、電源ＯＮ（オン）時に端末ロックを解除するための認証手段をスタイルに対応付けて記憶管理するもので、「オープンスタイル（ノーマルスタイル）」には「パスワード認証手段」が対応付けられ、「ビュースタイル」には「指紋認証手段」、また、「クローズスタイル」には「顔認証手段」が対応付けられている。なお、端末ロックを行うか否かを示すオン／オフを任意に設定可能なもので、端末ロックがオン設定されているときには、現在のスタイルに対応した認証手段を起動させて認証処理が実行し、正規なユーザであることを条件に端末ロック状態を解除するようにしている。なお、スタイルと認証手段との対応関係を任意に設定可能としてもよい。
【００２５】
図５は、スタイル別機能制限解除テーブル２３を示した図である。
スタイル別機能制限解除テーブル２３は、機能の使用が制限されている場合に、この機能制限を解除するための認証手段をスタイルに対応付けて記憶管理するもので、スタイル毎に複数の有効機能と複数の認証手段を対応可能な構成となっている。ここで、“有効機能”は、対応するスタイル上において有効となる機能を示したもので、図示の例では、「オープンスタイル（ノーマルスタイル）」においては、「メール機能」、「電話機能」、「ＴＶ電話機能」、「スケジュール機能」、「カメラ機能」、「電子マネー機能」が有効機能となり、「ビュースタイル」においては、「カメラ機能」、「電子マネー機能」が有効機能となり、「クローズスタイル」においては「電子マネー機能」、「録音機能」が有効機能となることを示している。
【００２６】
スタイル対応の“認証手段”は、「パスワード認証手段」、「指紋認証手段」、「顔認証手段」の中から任意に指定された認証手段が設定されたもので、一つのスタイルに複数の認証手段を設定可能となっている。なお、図示の例では、「オープンスタイル（ノーマルスタイル）」に対応して「パスワード認証手段」、「指紋認証手段」、「顔認証手段」が設定され、「ビュースタイル」に対応して「指紋認証手段」、「顔認証手段」が設定され、「クローズスタイル」に対応して「顔認証手段」が設定されている場合を示している。ここで、ＣＰＵ１は、一つのスタイルに複数の認証手段が設定されている場合には、予め決められている優先順位にしたがってその何れか一つの認証手段を選択するようにしている。なお、図中、認証手段の並び順がその優先順位（１）、（２）、（３）を示し、例えば、「オープンスタイル」においては、第１位が「パスワード認証手段」、第２位が「指紋認証手段」、第３位が「顔認証手段」となっている。この優先順位に応じて選択した認証手段によってユーザ認証を行った結果、その認証に失敗した際には、次順位の認証手段を選択するようにしている。
【００２７】
図６は、制限対象機能設定テーブル２４を示した図である。
制限対象機能設定テーブル２４は、機能別に機能制限を行うか否かを示すオン／オフ設定を記憶管理するもので、図中、○印は、機能制限がオン設定されている場合、つまり、制限設定が有る機能（制限対象機能）であることを示している。この場合、制限対象とするか否かは任意に設定可能なもので、例えば、機能一覧画面の中から任意の機能を選択しながらその制限設定の有無（オン／オフ）を設定するようにしている。なお、図示の例では、「メール機能」、「ＴＶ電話機能」、「スケジュール機能」、「電子マネー機能」が制限対象であることを示している。
【００２８】
次に、この実施例における携帯電話装置の動作概念を図７〜図１０に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２９】
図７及び図８は、電源投入に伴って実行開始される携帯電話装置の全体動作を示したフローチャートである。
先ず、ＣＰＵ１は、電源ＯＮ（オン）に伴って端末ロックがオン設定されているかを調べが（ステップＡ１）、端末ロックがオフ設定（解除）されている場合には（ステップＡで１ＮＯ）、図８のフローに移り、電話通信部５を作動させて現在位置を登録する待受処理を行うと共に（ステップＡ１４）、所定の待受画像を読み出して表示出力させながら電話／メールの待受状態となる（ステップＡ１５）。この状態において、通話／メール着信有りを検出すると（ステップＡ１６でＹＥＳ）、着信メロディなどを発生出力させる着信報知を行うと共に、通話あるいは受信メールの着信処理を実行する(ステップＡ１７)。
【００３０】
また、待受状態において、何らかの操作が行われると（ステップＡ１８でＹＥＳ）、機能選択操作か（ステップＡ１９）、制限設定操作かを調べ（ステップＡ３０）、それ以外の操作であれば（ステップＡ３０でＮＯ）、操作対応の処理として、例えば、通話発信処理、メール作成処理などのほか、照合用登録データの登録指示操作であれば、キー操作部１２から任意に入力されたパスワードデータ、指紋センサ１５によって検出された指紋画像データあるいはその画像を解析することによって得られた指紋中心点、分岐点、端点、三角州などの指紋特徴データ、インカメラ１３あるいはアウトカメラ１４によって撮影された顔画像データあるいはその画像を解析することによって得られた顔特徴データを照合用登録データメモリ２１に登録する処理が行われる（ステップＡ３４）。
【００３１】
また、制限設定操作が行われた場合には（ステップＡ３０でＹＥＳ）、先ず、端末ロックの有無を設定する設定画面を表示出力させた状態において、端末ロックを行うか否かに応じてそのオン／オフが選択指定されると、それに応じて端末ロックの有無を設定する（ステップＡ３１）。この場合、スタイルと認証手段との対応関係を任意に指定してスタイル別端末ロック解除テーブル２２に設定するようにしてもよい。次に、機能別に制限対象の有無を設定する設定画面を表示出力させた状態において、機能毎に制限対象とするか否かに応じてその制限設定の有無（オン／オフ）が選択指定されると、制限対象機能設定テーブル２４には、機能毎に制限対象とするか否かを設定する（ステップＡ３２）。
【００３２】
そして、ステップＡ３３に移り、スタイル別に認証手段及びその優先順位が選択指定されると、それをスタイル別機能制限解除テーブル２３に設定する。この場合、複数の認証手段を選択候補として一覧表示させ、その中から任意の認証手段が優先度の高い順に選択指定されると、ＣＰＵ１は、スタイル毎に選択された認証手段をその選択された順序どおりの並び順でスタイル別機能制限解除テーブル２３に設定する。その後、待受状態に戻る（ステップＡ１４）。
【００３３】
いま、上述のようにして端末ロックをオン設定した状態において電源がオンされると、図７の最初のステップＡ１で端末ロック設定有りと判別されるので、次のステップＡ２に移り、スタイル別照合チェック処理（ユーザ認証処理）を実行開始する。
また、待受状態において機能選択操作が行われた場合には（図８のステップＡ１９でＹＥＳ）、制限対象機能設定テーブル２４を参照し、選択機能は制限対象として設定されているかを調べ（ステップＡ２０）、制限対象機能でなければ、この選択機能をそのまま起動させるが（ステップＡ２７）、制限対象機能であれば（ステップＡ２０でＹＥＳ）、その対象機能の制限解除が要求されたものと認識して、次のステップＡ２１に移り、スタイル別照合チェック処理（ユーザ認証処理）を実行開始する。
【００３４】
図９及び図１０は、スタイル別照合チェック処理（図７のステップＡ２あるいは図８のステップＡ２１）を詳述するためのフローチャートである。
先ず、ＣＰＵ１は、端末ロック時（電源投入直後）かを調べ（ステップＢ１）、端末ロック時であれば、スタイル検出センサ１８からの検出信号に基づいて現在のスタイルをチェックしたのち（ステップＢ２）、このスタイルに基づいてスタイル別端末ロック解除テーブル２２を参照し、当該スタイル対応の「認証手段」を選択し（ステップＢ３）、また、端末ロック時でなければ（ステップＢ１でＮＯ）、機能選択時であると認識し、スタイル検出センサ１８からの検出信号に基づいて現在のスタイルをチェックしたのち（ステップＢ４）、このスタイルに基づいてスタイル別機能制限解除テーブル２３を参照し、当該スタイルに対応する各認証手段の中から第１順位の「認証手段」を選択する（ステップＢ５）。
【００３５】
これによって選択した認証手段の種類を判別し、指紋認証手段であれば（ステップＢ６でＹＥＳ）、指紋センサ１５を“ＯＮ（オン）”して起動させたのち（ステップＢ７）、指紋データを入力すべきことをガイダンス表示する（ステップＢ８）。ここで、認証手段の変更を指示する変更操作が行われたかをチェックし（ステップＢ９）、変更指示が無い場合に、指紋センサ１５に指を触れながら指紋読み取り操作が行われると、指紋センサ１５から指紋データを読み取り取得すると共に（ステップＢ１０）、今回読み取られた指紋データと照合用登録データメモリ２１内の指紋データとを照合し（ステップＢ１１）、両者は特徴的に一致するか（許容範囲内の誤差か）をチェックする（ステップＢ１２）。
【００３６】
この結果、許容範囲を超えていれば（ユーザ認証を失敗した場合には）、３回目の失敗であるかを調べる（ステップＢ１３）。ここで、指紋照合の場合には、指の汚れ、センサ面との接触状態などに起因して指紋を正確に採取できないことがあるため、その再入力を可能とするために、失敗が３回未満であれば、ステップＢ８に戻り、指紋データの入力を促すガイダンス表示を行ったのち、上述した指紋データの照合を繰り返す。ここで、ユーザ認証を３回失敗した場合には（ステップＢ１３でＹＥＳ）、その状態を示すためにＮＧフラグをセットし（ステップＢ１４）、許容範囲内の誤差であって両者が特徴的に一致していれば（ステップＢ１２でＹＥＳ）、その状態を示すためにＯＫフラグをセットしておく（ステップＢ１５）。そして、指紋センサ１５を“ＯＦＦ（オフ）”したのち（ステップＢ１６）、図７あるいは図８のフローに戻る。
【００３７】
また、選択した認証手段の種類を判別した結果、顔認証手段であれば（図１０のステップＢ１７でＹＥＳ）、現在のスタイルに基づいてインカメラ１３あるいはアウトカメラ１４を“ＯＮ”して起動させる（ステップＢ１８）。すなわち、「オープンスタイル」、「ビュースタイル」であれば、インカメラ１３を“ＯＮ”し、「クローズスタイル」であれば、アウトカメラ１４を“ＯＮ”する。そして、自己の顔を撮影すべきことをガイダンス表示したのち（ステップＢ１９）、認証手段の変更を指示する変更操作が行われたかをチェックし（ステップＢ２０）、変更指示が無い場合にインカメラ１３／アウトカメラ１４で顔撮影が行われと（ステップＢ２１）、今回撮影によって得られた顔データと照合用登録データメモリ２１内の顔データとを照合し（ステップＢ２２）、両者は特徴的に一致するか（許容範囲内の誤差か）をチェックする（ステップＢ２３）。
【００３８】
この場合、顔の輪郭、目、口、鼻、額等の形、位置、大きさ、髪型、メガネの有無と種類などを個別に比較するほかに、それらを総合比較することによって両者は特徴的に一致するか否かの判定を行う。その結果、許容範囲を超えてユーザ認証を失敗した場合には、その状態を示すためにＮＧフラグをセットするが（ステップＢ２４）、許容範囲内の誤差であって両者が特徴的に一致していれば（ステップＢ２３でＹＥＳ）、その状態を示すためにＯＫフラグをセットしておく（ステップＢ２５）。そして、インカメラ１３あるいはアウトカメラ１４を“ＯＦＦ（オフ）”したのち（ステップＢ２６）、図７あるいは図８のフローに戻る。
【００３９】
また、選択した認証手段の種類を判別した結果、パスワード認証手段であれば（図１０のステップＢ１７でＮＯ）、現在のスタイルは、「オープンスタイル（ノーマルスタイル）」であるかを判別し（ステップＢ２７）、それ以外のスタイルであれば、ステップＢ２８に移ってオープンスタイルに変更すべきことをガイダンス表示したのちにステップＢ２７に戻る。ここで、オープンスタイル以外の他のスタイルからオープンスタイルに変更された場合には（ステップＢ２９）、キー操作部１２を“ＯＮ”してそのスキャン動作を開始させる（ステップＢ３０）。
【００４０】
そして、パスワード入力を促すガイダンス表示を行い（ステップＢ３１）、それに応答してキー操作部１２からパスワードが入力されると（ステップＢ３２）、今回入力されたパスワードと照合用登録データメモリ２１内のパスワードとを照合する（ステップＢ３３）。その結果、両者が不一致の場合には（ステップＢ３４でＮＯ）、その状態を示すためにＮＧフラグをセットし（ステップＢ３５）、両者が一致する場合には（ステップＢ３４でＹＥＳ）、その状態を示すためにＯＫフラグをセットしたのち（ステップＢ３６）、図７あるいは図８のフローに戻る。
【００４１】
なお、指紋認証手段が選択されているときに（図９のステップＢ６でＹＥＳ）、認証手段の変更操作が指示された場合（ステップＢ９でＹＥＳ）あるいは顔認証手段が選択されているときに（図１０のステップＢ１７でＹＥＳ）、認証手段の変更操作が指示された場合には（ステップＢ２０でＹＥＳ）、その変更操作に応じて指紋認証処理あるいは顔認証処理からパスワード認証処理に変更される（ステップＢ２７〜Ｂ３６）。つまり、指紋認証からパスワード認証、顔認証からパスワード認証に適宜変更することが可能である。
【００４２】
このようなスタイル別照合チェック処理が終了すると、図７のステップＡ３あるいは図８のステップＡ２２に移り、上述したＯＫフラグのセット有無を調べる。いま、端末ロックが設定されている状態において、スタイル別照合チェック処理を実行した結果、正規なユーザであることを示すＯＫフラグがセットされていれば（ステップＡ３でＹＥＳ）、端末ロックを一時解除したのち（ステップＡ１３）、通常状態に移るために待受状態となるが（図８のステップＡ１４）、ＮＧフラグがセットされていてユーザ認証を失敗した場合には（ステップＡ３でＮＯ）、上述のスタイル別照合チェック処理でパスワードをチェック済みであるかを調べる（ステップＡ４）。ここで、チェック済みであれば、端末ロック解除を拒否するＮＧ表示を行ったのち（ステップＡ１２）、電源をＯＦＦさせる。
【００４３】
また、パスワードをチェック済みでなければ（ステップＡ４でＮＯ）、つまり、指紋データあるいは顔データを照合した結果、ユーザ認証を失敗した場合には、パスワード認証を行うために、現在のスタイルは、「オープンスタイル（ノーマルスタイル）」であるかを判別し（ステップＡ５）、それ以外のスタイルであれば、オープンスタイルに変更すべきことをガイダンス表示するが（ステップＡ６）、オープンスタイルであれば、パスワード入力を促すガイダンス表示を行い（ステップＡ７）、それに応答してキー操作部１２からパスワードが入力されると（ステップＡ８）、今回入力されたパスワードと照合用登録データメモリ２１内のパスワードとを照合する（ステップＡ９）。
【００４４】
その結果、両者が不一致でユーザ認証を失敗した場合には（ステップＡ１０でＮＯ）、３回目の失敗であるかを調べる（ステップＡ１１）。ここで、ユーザ認証を３回失敗した場合には、端末ロック解除を拒否するＮＧ表示を行ったのち（ステップＡ１２）、電源をＯＦＦさせるが、失敗が３回未満であれば、パスワードの再入力を可能とするためにステップＡ７に戻り、パスワードの入力を促すガイダンス表示を行ったのち、上述したパスワード照合を繰り返す。この結果、両者が一致した場合には（ステップＡ１０でＹＥＳ）、端末ロックを一時解除したのち（ステップＡ１３）、通常状態に移るために待受状態となる（図８のステップＡ１４）。
【００４５】
一方、選択機能が制限対象機能の場合においてスタイル別照合チェック処理を実行した結果、ＮＧフラグがセットされていてユーザ認証を失敗した場合には（ステップＡ２２でＮＯ）、現在のスタイルに対応する各認証手段のうち、未選択で次順位の認証手段が有るかを調べる（ステップＡ２３）。ここで、スタイル対応の認証手段が一つの場合あるいは複数の認証手段が有ってもその最終順位まで全て選択済みであれば、ステップＡ２３で次順位無しと判断されてステップＡ２４に移り、機能の制限解除を拒否するＮＧ表示を行ったのち、待受状態に戻る（ステップＡ１４）。
【００４６】
また、次順位の未選択認証手段が有れば（ステップＡ２３でＹＥＳ）、この次順位の認証手段を選択したのち（ステップＡ２５）、上述のスタイル別照合チェック処理を再開させるために、図９のステップＢ６に移り、選択された認証手段を起動させてそれに応じた認証処理を実行する。以下、今回選択した認証手段でも失敗した場合には、更に優先順位にしたがって次順位の認証手段を選択する。これによって、例えば、１回目でパスワード認証手段、２回目で指紋認証手段、３回目で顔認証手段が順次選択され、種類の異なる複数の認証処理が順次繰り返し実行される。この結果、何れかの認証手段で正規なユーザであることが認証されてＯＫフラグがセットされた場合には（ステップＡ２２でＹＥＳ）、その機能制限を一時解除して（ステップＡ２６）、選択機能を起動させたのち（ステップＡ２７）、この機能処理をその終了指示があるまで実行する（ステップＡ２８、Ａ２９）。
【００４７】
他方、非接触ＩＣ処理部１７を店舗端末にかざすことによって両者間で電波の送受信が行われて非接触ＩＣ処理部１７が起動されると、ＣＰＵ1は、この非接触ＩＣ処理部１７の起動を検出し（ステップＡ３５）、電子マネー機能が制限されたままか、一時解除されたかを調べ（ステップＡ３６）、制限が解除されず、機能が制限されたままの状態であれば（ステップＡ３６でＹＥＳ）、電子マネー機能の使用を制限するためにアラーム音などでその旨を報知する処理が行われる（ステップＡ３７）。また、上述したスタイル別照合チェック処理を実行した結果、電子マネー機能の制限が一時解除された場合には（ステップＡ３６でＮＯ）、電子マネー支払い処理を実行開始したのち（ステップＡ３８）、待受状態に戻る（ステップＡ１４）。
【００４８】
以上のように、この実施例においてＣＰＵ1は、スタイル別端末ロック解除テーブル２２、スタイル別機能制限解除テーブル２３にスタイルと認証手段との対応が記憶管理されている状態において、スタイル検出センサ１８によって検出された現在のスタイルに基づいてスタイル別端末ロック解除テーブル２２、スタイル別機能制限解除テーブル２３を参照することによって３種類の認証手段（パスワード認証手段、指紋認証手段、顔認証手段）の中から現在のスタイルに対応付けられている認証手段を選択し、この認証手段によって正規なユーザであることが認証された際に、端末クロックの設定を解除したり、選択機能の制限を解除するようにしたから、複数の認証手段の中から現在のスタイルに適した認証手段を選択可能であると共に、現在のスタイルを変更することなく、制限解除のための認証用データを容易に入力することができ、操作性及び確実性を高めることが可能となるほか、スタイル毎に認証手段を変えることができ、安全性の点においても有利なものとなる。例えば、操作部筐体１９Ａのキー操作部１２が表示部筐体１９Ｂによって覆い隠されている状態のビュースタイルであれば、指紋認証手段を選択し、キー操作部１２が覆い隠されていない状態のオープンスタイルでは、パスワード認証手段を選択することができ、操作性、確実性、安全性を高めることが可能となる。
【００４９】
スタイル別機能制限解除テーブル２３は、一つのスタイルに複数の認証手段を対応付けて記憶管理し、ＣＰＵ１は、スタイル検出センサ１８によって検出された現在のスタイルに対応する複数の認証手段の中からその何れかの認証手段を選択するようにしたから、選択の自由度が増し、同じスタイルであっても認証手段を適宜変更することが可能となる。この場合、予め決められている優先順位にしたがって何れかの認証手段を選択するようにしたから、例えば、使い勝手、認識率、安全性などを考慮して優先順位を決めておけば、最適な認証手段を選択することが可能となる。また、選択した認証手段での認証が失敗した際に、スタイルに対応する複数の認証手段の中からその優先順位にしたがって次順位の認証手段を選択するようにしたから、例えば、最適な認証手段で認証を行ってもそのときの指の状態、化粧、髪型などによって認証に失敗した際には、次に適した認証手段を選択することができる。
【００５０】
ＣＰＵ１は、複数の認証手段の中から選択した認証手段を起動するようにしたから、無駄な電力消費を抑えることが可能となり、キー操作部１２、指紋センサ１５、インカメラ１３、アウトカメラ１４をユーザ認証用として“オン”しておく必要はなく、必要な認証手段のみを“オン”するだけで足りる。また、現在のスタイルに応じて認証手段を選択した際に、その認証手段に応じたガイダンスを表示するようにしたから、どのような操作を行えばよいかなど素早い対応が可能となる。
【００５１】
任意の機能が起動対象として選択指定された際に、ＣＰＵ１は、制限対象機能設定テーブル２４を参照して当該指定機能が制限対象であるか否かを判別し、制限対象の機能であれば、スタイル別機能制限解除テーブル２３を参照して現在のスタイルに対応する認証手段を選択し、この認証手段で正規なユーザであることが認証された際に当該機能の使用制限を解除するようにしたから、メール機能、スケジュール機能などのようなプライベート機能あるいは電子マネー機能などのようにセキュリティ対策が必要な機能を制限対象とすることができ、スタイルに適した認証手段を使用して当該機能の使用制限を解除することが可能となる。
【００５２】
なお、上述した実施例においては、３種類のユーザ認証手段として、パスワード認証手段、指紋認証手段、顔認証手段を例示したが、スタイルに対応してそれぞれ異なる種類のキー操作情報が被照合用の登録データとして記憶管理されている状態において、例えば、「オープンスタイル」ではキー操作部１２のテンキーによって暗証番号を入力し、「ビュースタイル」では複数のサイドキーＳＫ１、ＳＫ２、ＳＫ３による操作順、操作回数を入力するようにしてもよい。
また、上述した実施例においては、一つのスタイルに複数の認証手段を任意に設定可能としたが、勿論、スタイルと認証手段とを１対１に固定的に対応付けてもよい。
【００５３】
また、上述した実施例においては、スタイル別端末ロック解除テーブル２２とスタイル別機能制限解除テーブル２３とを別々に設けたが、これらを同一のテーブルで構成するようにしてもよい。
更に、指紋センサ１５は、センサ面（電極面）に指を１回タッチするだけで指全体の指紋データを読み取る方式に限らず、その実装上の制約からそのセンサ面の小型化により指紋入力時には、指を所定方向（図中、上から下の方向）に移動しながら読み取るスライド式であってもよい。
【００５４】
上述した実施例においては、使用制限として端末ロック、機能制限を例示したが、例えば、プライベートなアドレス帳ファイル、着信履歴ファイル、スケジュール帳ファイル、フォトフォルダなどのデータを制限対象としてもよい。
また、上述した実施例においては、複数の認証手段として、「パスワード認証手段」、「指紋認証手段」、「顔認証手段」を示したが、虹彩、網膜、静脈、声紋などの生体認証手段であってもよい。
その他、携帯電話装置に限らず、例えば、複数のスタイルに変更可能なＰＤＡ・電子カメラ・電子腕時計・音楽再生機などの携帯端末装置であっても同様に適用可能である。
【図面の簡単な説明】
【００５５】
【図１】携帯端末装置として適用した携帯電話装置の基本的な構成要素を示したブロック図。
【図２】装置本体の各スタイルを示し、（Ａ）は、正転オープンスタイル（ノーマルスタイル）、（Ｂ）は、ビュースタイル、（Ｃ）は、クローズスタイルを示した図。
【図３】照合用登録データメモリ２１を示した図。
【図４】スタイル別端末ロック解除テーブル２２を示した図。
【図５】スタイル別機能制限解除テーブル２３を示した図。
【図６】制限対象機能設定テーブル２４を示した図。
【図７】電源投入に伴って実行開始される携帯電話装置の全体動作を示したフローチャート。
【図８】図７に続く、フローチャート。
【図９】スタイル別照合チェック処理（図７のステップＡ２あるいは図８のステップＡ２１）を詳述するためのフローチャート。
【図１０】図９に続く、フローチャート。
【符号の説明】
【００５６】
１  ＣＰＵ
２  記憶部
５  電話通信部
１０、１１  表示部
１２  キー操作部
１３  インカメラ
１４  アウトカメラ
１５  指紋センサ
１６  録音／再生部
１７  非接触ＩＣ処理部
１８  スタイル検出センサ
１９Ａ  操作部筐体
１９Ｂ  表示部筐体
２１  照合用登録データメモリ
２２  スタイル別端末ロック解除テーブル
２３  スタイル別機能制限解除テーブル
２４  制限対象機能設定テーブル
【図１】
2007336245.tif 000003
【図２】
2007336245.tif 000004
【図３】
2007336245.tif 000005
【図４】
2007336245.tif 000006
【図５】
2007336245.tif 000007
【図６】
2007336245.tif 000008
【図７】
2007336245.tif 000009
【図８】
2007336245.tif 000010
【図９】
2007336245.tif 000011
【図１０】
2007336245.tif 000012